(57)【要約】【課題】緊急時に容易に重要物を取り出すことのできる重要物管理装置を提供する。【解決手段】上面２ａには、タッチパネル３の裏側の位置に、開閉可能な蓋部材３１が設けられている。蓋部材３１は、上面２ａと面一になっている。蓋部材３１の真下には、上面２ａに対して窪んだ格納部４０が形成されている。格納部４０の内部には、格納部４０を上下に２つの区画、すなわち第１区画４１及び第２区画４２に区画する板状の区画部材４３が取り外し可能に設けられている。区画部材４３は、格納部４０を第１区画４１及び第２区画４２に区画した状態で、固定部材であるダイヤル錠４４によって固定することができる。鍵３０は通常、第２区画４２内に格納されている。【選択図】図３
2017160604.tif 000002
【特許請求の範囲】
【請求項１】
上面を有する筐体と、
重要物を収納する少なくとも１つの開閉可能な収納庫と
を備える重要物管理装置であって、
前記収納庫には、該収納庫が開くのをロックする錠が設けられ、
前記筐体には、
前記上面に対して窪んだ格納部と、
該格納部を開閉可能に塞ぐ蓋部材と
が設けられ、
前記錠のロック及び前記錠のロックの解除をする鍵が前記格納部に格納されている重要物管理装置。
【請求項２】
前記重要物の取り出し及び収納を操作するためのタッチパネルをさらに備え、
前記重要物管理装置を正面から見た場合に前記格納部及び前記蓋部材は前記タッチパネルによって見えない位置に設けられている、請求項１に記載の重要物管理装置。
【請求項３】
前記格納部は、
その内部を２つの区画に区画する区画部材と、
前記２つの区画を区画した状態で前記区画部材を取り外し可能に固定する固定部材と
を備え、
前記区画部材が前記固定部材によって固定されたときには、前記２つの区画のうち一方は前記区画部材により見えない状態になり、その一方の区画に前記鍵が格納されている、請求項１または２に記載の重要物管理装置。
【請求項４】
制御部と、
前記区画部材が前記格納部の内部を前記２つの区画に区画した状態か否かを検出する検出手段と
をさらに備え、
前記制御部は、前記検出手段による検出結果を記憶する、請求項３に記載の重要物管理装置。
【発明の詳細な説明】
【技術分野】
【０００１】
この発明は、印鑑や通帳、証書等の重要物を管理する重要物管理装置に関する。
【背景技術】
【０００２】
従来の重要物管理装置が特許文献１に記載されている。この重要物管理装置は、重要物を収納可能な複数の収納庫を備え、収納庫の開閉を管理することで重要物の管理を行っている。このような従来の重要物管理装置では、重要物の取り出し及び返却の履歴を記録することを目的として、全ての収納庫の引き出しを電磁ロックを用いて開閉させているため、停電時等の緊急時に重要物を取り出せなくなってしまう。そこで、従来の重要物管理装置には、緊急時に重要物の引き出しを可能にする二次的解除機構が設けられている。このような二次的解除機構として、例えば、ダイヤル錠が用いられる。このダイヤル錠は通常は使用しないことから、重要物管理装置の背面に設置して、重要物管理装置全体の見栄えの悪化を防いでいる。
【先行技術文献】
【特許文献】
【０００３】
【特許文献１】特開２０１２−２３６０７９号公報
【発明の概要】
【発明が解決しようとする課題】
【０００４】
しかしながら、ダイヤル錠を重要物管理装置の背面に設置すると、緊急時にダイヤル錠を操作する前に重要物管理装置を動かさなくてはならず、手間がかかるといった問題点があった。
【０００５】
この発明はこのような問題点を解決するためになされたもので、緊急時に容易に重要物を取り出すことのできる重要物管理装置を提供することを目的とする。
【課題を解決するための手段】
【０００６】
この発明に係る重要物管理装置は、上面を有する筐体と、重要物を収納する少なくとも１つの開閉可能な収納庫とを備え、収納庫には、収納庫が開くのをロックする錠が設けられ、筐体には、上面に対して窪んだ格納部と、格納部を開閉可能に塞ぐ蓋部材とが設けられ、錠のロック及び錠のロックの解除をする鍵が格納部に格納されている。
重要物の取り出し及び収納を操作するためのタッチパネルをさらに備え、重要物管理装置を正面から見た場合に格納部及び蓋部材はタッチパネルによって見えない位置に設けられてもよい。
格納部は、その内部を２つの区画に区画する区画部材と、２つの区画を区画した状態で区画部材を取り外し可能に固定する固定部材とを備え、区画部材が固定部材によって固定されたときには、２つの区画のうち一方は区画部材により見えない状態になり、その一方の区画に鍵が格納されてもよい。
制御部と、区画部材が格納部の内部を２つの区画に区画した状態か否かを検出する検出手段とをさらに備え、制御部は、検出手段による検出結果を記憶してもよい。
【発明の効果】
【０００７】
この発明によれば、収納庫が開くのをロックする錠のロック及び錠のロックの解除をする鍵が、筐体の上面に対して窪んだ格納部に格納されているので、緊急時に容易に重要物を取り出すことができる。
【図面の簡単な説明】
【０００８】
【図１】この発明の実施の形態に係る重要物管理装置の斜視図である。
【図２】この実施の形態に係る重要物管理装置の上部部分の後方斜視図である。
【図３】図２のＩＩＩ−ＩＩＩ線に沿った断面図である。
【図４】この実施の形態に係る重要物管理装置に設けられた検出センサー及びその周辺の図である。
【図５】この実施の形態に係る重要物管理装置の変形例の斜視図である。
【発明を実施するための形態】
【０００９】
以下、この発明の実施の形態を添付図面に基づいて説明する。
図１に示されるように、重要物管理装置１は、略直方体形状の筐体２を備え、筐体２の上面２ａには、タッチパネル３と、ＩＣカードリーダー４と、磁気カードリーダー５と、プリンター６とが設けられている。ＩＣカードリーダー４及び磁気カードリーダー５はそれぞれ、ＩＣカード及び磁気カードのそれぞれに記憶された情報を読み取るもので、この情報を読み取ることにより、タッチパネル３を操作することができるようになる。
【００１０】
筐体２の内部には、制御部であるコンピューター７が設けられている。コンピューター７には、タッチパネル３と、ＩＣカードリーダー４と、磁気カードリーダー５と、プリンター６とがそれぞれ、有線または無線の任意の手段によって通信可能に接続されている。
【００１１】
また、筐体２には、通帳管理部１１と、証書管理部１２と、２つの収納庫１３，１４とが設けられている。通帳管理部１１は、重要物である通帳を収納する図示しない収納部を筐体２の内部に有し、筐体２の正面に、収納部内の通帳が放出される通帳放出開口１１ａを有している。証書管理部１２は、重要物である証書を収納する図示しない収納部を筐体２の内部に有し、筐体２の正面に、収納部内の証書が放出される証書放出開口１２ａを有している。
【００１２】
収納庫１３，１４は引き出し型の収納庫である。これらの正面部にはそれぞれ、これらの引き出しをロックする緊急用の錠２１，２２が設けられている。これらの錠２１，２２は通常、コンピューター７からの指令によって動作されるようになっており、その動作はコンピューター７に履歴として記憶されるようになっている。しかしながら、後述する鍵３０（図３参照）によって手動で錠２１，２２のロックを解除して、収納庫１３，１４を引き出すこともできるようになっている。
【００１３】
図２に示されるように、上面２ａには、タッチパネル３の裏側の位置に、開閉可能な蓋部材３１が設けられている。蓋部材３１は、上面２ａと面一になっている。図３に示されるように、蓋部材３１の真下には、上面２ａに対して窪んだ格納部４０が形成されている。格納部４０の内部には、格納部４０を上下に２つの区画、すなわち第１区画４１及び第２区画４２に区画する板状の区画部材４３が取り外し可能に設けられている。区画部材４３は、格納部４０を第１区画４１及び第２区画４２に区画した状態で、固定部材であるダイヤル錠４４によって固定することができる。鍵３０は通常、第２区画４２内に格納されている。区画部材４３がダイヤル錠４４で固定されている状態では、蓋部材３１を取り外しても、鍵３０を取り出すことはできない。
【００１４】
格納部４０の外部には、区画部材４３が格納部４０の内部を２つの区画に区画した状態か否かを検出する検出手段である検出センサー５０が設けられている。検出センサー５０は、コンピューター７に有線または無線の任意の手段によって通信可能に接続されている。図４に示されるように、検出センサー５０は、光を発光する発光部５１と、発光部５１からの光を受光する受光部５２とを有している。区画部材４３が格納部４０の内部を２つの区画に区画した状態では、格納部４０の壁に形成された穴から区画部材４３の一部が突出し、発光部５１と受光部５２との間に突出した一部が位置する。そうすると、発光部５１からの光が遮られて、受光部５２が光を受光しなくなる。受光部５２が光を受光しなくなったことの信号を検出センサー５０からコンピューター７が受信したら、コンピューター７は、区画部材４３が格納部４０の内部を２つの区画に区画した状態であると判定する。逆に、受光部５２が光を受光していることの信号を検出センサー５０からコンピューター７が受信している間は、区画部材４３が格納部４０の内部を２つの区画に区画していないと判定する。
【００１５】
次に、重要物管理装置１において、停電等の緊急時に収納庫１３，１４から重要物を取り出す動作について説明する。
停電等で重要物管理装置１が起動していない時は、タッチパネル３での操作ができないので、収納庫１３，１４の開閉ができない。そこで、ユーザーは、タッチパネル３の裏側にある蓋部材３１を取り外す。これにより、第１区画４１内でダイヤル錠４４を操作できる状態になるので、ダイヤル錠４４の操作によって区画部材４３の固定を解除する。そうすると、区画部材４３を取り外すことにより、第１区画４１と第２区画４２との区画が解除され、第２区画４２内に格納された鍵３０にアクセスすることができる。取り出した鍵３０を錠２１又は２２に挿入してロックを解除することにより、収納庫１３又は１４を引き出し、収納されている重要物を取り出すことができる。鍵３０を入手するのに重要物管理装置１を動かしたりする必要がないため、収納庫１３，１４内に収納されている重要物を容易に取り出すことができる。
【００１６】
重要物管理装置１が起動していない時に鍵３０を使用して重要物を取り出した場合、区画部材４３を取り外したままの状態で重要物管理装置１を起動すれば、検出センサー５０による検出結果がコンピューター７に送信されて記憶されるので、鍵３０による緊急時の重要物の取り出し履歴を記憶することができる。また、重要物管理装置１が起動中に鍵３０を使用して重要物を取り出した場合も、その履歴がコンピューター７に記憶される。したがって、平常時及び緊急時のいずれにおいても、鍵３０の不正使用を監視することができる。
【００１７】
また、鍵３０を取り出すために操作するダイヤル錠４４は通常、蓋部材３１によって見えない状態になっており、さらに、蓋部材３１及び格納部４０は、重要物管理装置１を正面から見たときに、タッチパネル３に隠れて見えない状態になっている。このため、重要物管理装置１全体の見栄えの悪化を防ぐことができる。
【００１８】
区画部材４３を固定する固定部材としてダイヤル錠４４の代わりに、鍵及び錠を用いることもできるが、この場合には、この鍵の管理がさらに必要になってしまう。この実施の形態のように、ダイヤル錠４４を用いることにより、このような連鎖的な鍵の管理を不要とすることができる。
【００１９】
このように、収納庫１３，１４が開くのをロックする錠２１，２２のロック及び錠２１，２２のロックの解除をする鍵３０が、筐体２の上面２ａに対して窪んだ格納部４０に格納されているので、緊急時に容易に重要物を取り出すことができる。
【００２０】
この実施の形態では、重要物管理装置１は、通帳管理部１１と証書管理部１２と収納庫１３，１４とを備えていたが、この形態に限定するものではない。収納庫を少なくとも１つ備えていれば、通帳管理部１１及び証書管理部１２のいずれも設けられていない形態、あるいは、それらのうち少なくとも１つが設けられた形態であってもよい。
【００２１】
この実施の形態では、区画部材４３が格納部４０の内部を２つの区画に区画した状態か否かを検出する検出手段は、光を発光する発光部５１と、発光部５１からの光を受光する受光部５２とを有する検出センサー５０であったが、この形態に限定するものではない。例えば、格納部４０の壁に形成された穴から突出した区画部材４３の一部がスイッチ等を押すことによって検出する手段等、任意の形態の手段を用いてもよい。
【００２２】
この実施の形態では、蓋部材３１及び格納部４０は、重要物管理装置１を正面から見たときにタッチパネル３に隠れて見えない位置に設けられていたが、この形態に限定するものではない。蓋部材３１が見えても重要物管理装置１全体の見栄えが悪化しないと判断する場合には、蓋部材３１及び格納部４０を上面２ａのいずれの箇所に設けてもよい。
【００２３】
また、図５に示されるように、重要物管理装置１に対して、増設ユニット６０及び金庫７０を、有線又は無線の公知の通信手段を介してコンピューター７と通信可能となるように増設してもよい。増設ユニット６０は、重要物管理装置１に設けられたものと同じ構成の通帳管理部１１と、証書管理部１２と、収納庫１３，１４とを有している。増設ユニット６０の収納庫１３，１４に収納されている重要物も、緊急時には鍵３０によって引き出すことが可能であり、さらに、鍵３０による引き出しの履歴もコンピューター７に記憶することができる。また、金庫７０の扉の開閉を検知して通信手段を介してコンピューター７に記憶することにより、金庫７０に収納されている重要物も管理できる。この場合、金庫７０には、金庫７０の扉の開閉を検知する開閉センサーを設け、開閉センサーとコンピューター７とを通信手段を介して通信可能な構成にすればよい。尚、重要物管理装置１に対して増設するのは、増設ユニット６０及び金庫７０の一方だけでもよく、また、増設するそれぞれの個数も任意である。さらに、増設ユニット６０は、通帳管理部１１と証書管理部１２と収納庫１３，１４とを備えていたが、この形態に限定するものではない。収納庫を少なくとも１つ備えていれば、通帳管理部１１と証書管理部１２と収納庫１４とのいずれも設けられていない形態、あるいは、それらのうち少なくとも１つが設けられた形態であってもよい。
【符号の説明】
【００２４】
１  重要物管理装置、２  筐体、２ａ  （筐体の）上面、３  タッチパネル、７  コンピューター（制御部）、１３，１４  収納庫、２１，２２  錠、３０  鍵、３１  蓋部材、４０  格納部、４１  第１区画（２つの区画）、４２  第２区画（２つの区画）、４３  区画部材、４４  ダイヤル錠（固定部材）、５０  検出センサー（検出手段）。
【図１】
2017160604.tif 000003
【図２】
2017160604.tif 000004
【図３】
2017160604.tif 000005
【図４】
2017160604.tif 000006
【図５】
2017160604.tif 000007